(57)【要約】【課題】  使用者が包装体の両端部を左右に軽く引っ張るだけで、瞬時に袋本体を包装体から取り出すことができ、包装体を個別に処分する必要がない携帯用収納袋を提供する。【解決手段】  携帯用収納袋1は、開口縁部に挿通された二本の環状紐4の夫々の一端を左右に引くことにより開口が閉じられる袋本体3と、該袋本体3を折り畳んで封入する包装体2と、を備え、二本の環状紐4の夫々の一端が、包装体2の両端内側に固着され、該包装体2を左右に分割することによって、袋本体3が包装体2から取り出されることを特徴とする。【選択図】      図４
0003151739.tif 000002
【実用新案登録請求の範囲】
【請求項１】
開口縁部に挿通された二本の環状紐の夫々の一端を左右に引くことにより開口が閉じられる袋本体と、
該袋本体を折り畳んで封入する包装体と、を備え、
前記二本の環状紐の夫々の一端が、前記包装体の両端近傍内側に固着され、
該包装体を左右に分割することによって、前記袋本体が前記包装体から取り出されることを特徴とする携帯用収納袋。
【請求項２】
前記包装体には、左右に分離可能とされるように切込線が形成され、
前記袋本体には、開口縁部において左右端に紐通し開口を有する一対の紐通路部が形成され、
前記二本の環状紐は、前記一対の紐通路部に挿通され、
前記左右何れか一方の紐通し開口から突出した前記二本のうちの一方の環状紐の端部と、他方の紐通し開口から突出した前記二本のうちの他方の環状紐の端部と、が夫々前記包装体の左右端部近傍内側に固着され、
前記包装体を左右に分離させることで前記袋本体が前記包装体から取り出され、前記環状紐を左右に引くことにより前記袋本体の開口が閉じられ、閉じられた該袋本体の開口を内側から外側に引くことにより該袋本体の開口が開かれることを特徴とする請求項１に記載の携帯用収納袋。
【請求項３】
前記袋本体は、左右方向に三重折り又は五重折りとされ、上下方向に六重乃至十重に重ね折りされた状態で前記包装体に封入されていることを特徴とする請求項１又は請求項２に記載の携帯用収納袋。
【請求項４】
生分解性プラスチックフィルム又は生分解性プラスチック不織布から成ることを特徴とする請求項１乃至請求項３の何れかに記載の携帯用収納袋。
【請求項５】
分解性プラスチックフィルム又は分解性プラスチック不織布から成ることを特徴とする請求項１乃至請求項３の何れかに記載の携帯用収納袋。
【考案の詳細な説明】
【技術分野】
【０００１】
本考案は、携帯性に優れ、様々な物品を収納することのできる携帯用収納袋に関する。
【背景技術】
【０００２】
従来、様々な袋が提案され、利用されている。そして、短期間の使用を目的とした携帯用収納袋についても多数の提案がなされている。例えば、特許文献１では、扁平且つ小さく折り畳まれた袋本体を包装体に収納した携帯用収納袋（携帯用袋）が提案されている。又、特許文献２では、一定方法で折り畳まれた袋本体を複数枚重ねて包装体に収容し、袋本体を一枚ずつ取り出すことを可能とした携帯用収納袋（携帯用ゴミ袋）が提案されている。
【先行技術文献】
【特許文献】
【０００３】
【特許文献１】実用新案登録第３０５８５４２号
【特許文献２】特開２００４−１４２９３５号公報
【考案の概要】
【考案が解決しようとする課題】
【０００４】
上記特許文献１に記載の携帯用収納袋は、買い物袋、ゴミ袋等用途が限定されない袋本体を一枚毎にコンパクトに纏め包装用袋に収納した形態とされている。これにより、この携帯用収納袋は、上着やシャツのポケット、或いはバッグの片隅に仕舞っておくことができるため、常時携帯する袋として好適であった。
【０００５】
又、特許文献２に記載の携帯用収納袋は、袋本体が一定方法で折り畳まれて包装体に収容されており、包装体の中央部分に取り出し口が形成されているため、袋本体を一枚ずつ取り出すことが容易とされている。
【０００６】
しかしながら、特許文献１に記載の携帯用収納袋は、縁部が熱溶着されることにより包装体が密閉状態とされ、更に熱溶着の際に空気が抜かれることにより袋本体を包装体に密着させて体積が小さくされているものであるため、袋本体の取り出しが困難であるといった問題点があった。
【０００７】
又、特許文献２に記載の携帯用収納袋は、包装体の取り出し口から、袋本体を摘んで引き抜くことができるため、袋本体の取り出しがある程度は容易にできる構成となってはいるが、未だ、取り出し難いといった問題点があった。
【０００８】
更に、これらの携帯用収納袋は、包装体とこの包装体に収納される袋本体とが分離されるものであるため、袋本体を取り出した後の包装体を廃棄するという手間が必要であった。
【０００９】
本考案は、このような従来技術の問題点に鑑みてなされたものであり、使用者が包装体の両端部を軽く引っ張るだけで、瞬時に袋本体を包装体から取り出すことができ、包装体を個別に処分する必要がない携帯用収納袋を提供することを目的としている。
【課題を解決するための手段】
【００１０】
本考案の携帯用収納袋は、開口縁部に挿通された二本の環状紐の夫々の一端を左右に引くことにより開口が閉じられる袋本体と、該袋本体を折り畳んで封入する包装体と、を備え、前記二本の環状紐の夫々の一端が、前記包装体の両端近傍内側に固着され、該包装体を左右に分割することによって、前記袋本体が前記包装体から取り出されることを特徴とする。
【００１１】
又、前記包装体には、左右に分離可能とされるように切込線が形成され、前記袋本体には、開口縁部において左右端に紐通し開口を有する一対の紐通路部が形成されている。更に、前記二本の環状紐が前記一対の紐通路部に挿通され、前記左右何れか一方の紐通し開口から突出した前記二本のうちの一方の環状紐の端部と、他方の紐通し開口から突出した前記二本のうちの他方の環状紐の端部と、が夫々前記包装体の左右端部近傍内側に固着されることで、前記包装体と袋本体とが当該環状紐を介して一体となっている。そして、この携帯用収納袋は、前記包装体を左右に分離させることで前記袋本体が前記包装体から取り出され、前記環状紐を左右に引くことにより前記袋本体の開口が閉じられ、閉じられた該袋本体の開口を内側から外側に引くことにより該袋本体の開口が開かれる構成とされ、開閉動作を繰返し行うことができるようになっている。
【００１２】
そして、前記袋本体は、左右方向に三重折り又は五重折りとされ、上下方向に六重乃至十重に重ね折りされた状態で前記包装体に封入されている。
【００１３】
更に、本考案の携帯用収納袋は、生分解性プラスチックフィルム又は生分解性プラスチック不織布から成ることもある。
【００１４】
又、本考案の携帯用収納袋は、光分解性と生分解性の特性を有する分解性プラスチックフィルム又は分解性プラスチック不織布から成ることもある。
【考案の効果】
【００１５】
本考案によれば、包装体の両端部を軽く引っ張るだけで包装体を二つに分離させて、瞬時に袋本体を包装体から取り出すことができる携帯用収納袋を提供することができる。又、この携帯用収納袋は、包装体の内側端部に環状紐が固着されて包装体と袋本体とが一体として形成されているため、包装体を個別に処分する必要がない。
【００１６】
そして、袋本体が、左右方向に三重折り又は五重折りとされ、上下方向に六重乃至十重に重ね折りされて包装体に封入されることで、一般的に使いやすい大きさの袋本体を上着やシャツなどのポケットに入れることのできるコンパクトな大きさに纏めることができ、小さく折り畳まれた袋本体を開封の際に瞬時に展開させて取り出して使用することができる。
【００１７】
又、この携帯用収納袋を、生分解性プラスチックフィルム又は生分解性プラスチック不織布によって形成することで、廃棄処理する際に自然分解させることができるため、環境に優しい携帯用収納袋を提供することができる。
【００１８】
更に、この携帯用収納袋を、分解性プラスチックフィルム又は分解性プラスチック不織布によって形成することで、廃棄処理する際に、当該携帯用収納袋の全てをより早く自然分解させることができ、二酸化炭素の発生も少なくすることができる。
【図面の簡単な説明】
【００１９】
【図１】本考案の実施例に係る携帯用収納袋の開封後の状態を示す平面図及び正面図である。
【図２】本考案の実施例に係る携帯用収納袋の袋本体を示す正面図である。
【図３】本考案の実施例に係る携帯用収納袋の袋本体を折り畳んだ状態を示す平面図及び正面図である。
【図４】本考案の実施例に係る携帯用収納袋の袋本体を包装体に収容する説明図、及び、携帯用収納袋の開封前の状態を示す正面図である。
【図５】本考案の実施例に係る携帯用収納袋の袋本体が包装体に収容された状態を示す平面模式図である。
【図６】本考案の実施例に係る携帯用収納袋の開封動作を示す説明図である。
【図７】本考案の実施例に係る携帯用収納袋の使用状態を示す説明図である。
【考案を実施するための形態】
【００２０】
本考案を実施するための形態を述べる。携帯用収納袋1は、開口を有する袋本体3と、該袋本体3の開口を閉じるための二本の環状紐4と、袋本体3を封入する包装体2と、を備えている。この袋本体3は、開口縁部に挿通された二本の環状紐4の夫々の一端を左右に引くことにより開口が閉じられるものである。そして、この袋本体3は、左右方向で三分の一の大きさとなるように谷折り、山折りされ、即ち左右方向に三重折りとされ、更に、上下方向に六重乃至十重に重ね折りされた状態で包装体2に封入されている。そして、袋本体3を封入した包装体2には、当該包装体2が左右に分離可能とされるように切込線20が形成されている。つまり、この携帯用収納袋1は、使用者が包装体2の両端部を左右に引っ張ることで簡単に袋本体3を取り出すことができるようになっている。
【００２１】
具体的な構成としては、この携帯用収納袋1は、袋本体3の開口縁部において、左右端に紐通し開口30を有する一対の紐通路部31が形成されている。そして、この一対の紐通路部31に、二本の環状紐4が挿通されている。又、左右何れか一方として左端の紐通し開口30から突出した二本のうちの一方の環状紐である第一環状紐4aの端部が左側包装体2aの端部内側に固着され、他方である右端の紐通し開口30から突出した二本のうちの他方の環状紐である第二環状紐4bの端部が右側包装体2bの端部内側に固着されている。つまり、この携帯用収納袋1は、開口縁部の紐通路部31に挿通された二本の環状紐4の夫々の一端が、包装体2の両端内側に固着されることで、包装体2と袋本体3とが環状紐4を介して一体となっている。
【００２２】
そして、この携帯用収納袋1を使用する際、包装体2に切込線20が形成されているため、使用者は、袋本体3を封入した包装体2を左右に分離させるように引くことで、包装体2を左側包装体2aと右側包装体2bとに分割して、袋本体3を包装体2から瞬時に取り出すことができる。
【００２３】
又、この携帯用収納袋1は、左側包装体2aが固着されている第一環状紐4aの左端部と、右側包装体2bが固着されている第二環状紐4bの右端部と、が左右両側に引っ張られることにより袋本体3の開口が閉じられ、閉じられた袋本体3の開口が内側から外側に引っ張られることにより袋本体3の開口が開かれる構成とされ、開閉動作を繰返し行うことができるようになっている。つまり、使用者は、所望の物を袋本体3に入れた後、環状紐4を左右に引くことにより袋本体3の開口を閉じて物を袋本体3に収納することができる。又、使用者は、閉じられた袋本体3の開口を内側から外側に引くことにより袋本体3の開口を開いて収納物を取り出し、再び所望の物を袋本体3に収納することができる。
【００２４】
更に、この携帯用収納袋1は、光分解性と生分解性の特性を有する分解性プラスチックフィルム又は分解性プラスチック不織布から成る。
【実施例】
【００２５】
以下、本考案の実施例を図に基づいて詳説する。携帯用収納袋1は、図１に示すように、開口を有する袋本体3と、該袋本体3の開口を閉じるための二本の環状紐4と、袋本体3を封入する包装体2と、を備えている。尚、図１は、包装体2が分割されて開封され、袋本体3が取り出された状態の携帯用収納袋1を示している。この袋本体3は、開口縁部に挿通された二本の環状紐4の夫々の一端を左右に引くことにより開口が絞られて閉じられる、所謂巾着袋である。
【００２６】
具体的には、この袋本体3には、開口縁部において左右端に紐通し開口30を有する一対の紐通路部31が形成されている。そして、この一対の紐通路部31に、帯状の二本の環状紐4が挿通されている。又、左右何れか一方として左端の紐通し開口30から突出した二本のうちの一方の環状紐である第一環状紐4aの端部が左側包装体2aの端部内側に固着され、他方である右端の紐通し開口30から突出した二本のうちの他方の環状紐である第二環状紐4bの端部が右側包装体2bの端部内側に固着されている。つまり、この携帯用収納袋1は、開口縁部の紐通路部31に挿通された二本の環状紐4の夫々の一端が、包装体2の両端内側に固着されることで、包装体2と袋本体3とが環状紐4を介して一体となっている。
【００２７】
次に、袋本体3の包装体2への収容方法の例、即ち携帯用収納袋1の作成例について以下説明する。先ず、図２に示すように、袋本体3の紐通路部31に二本の環状紐4が挿通される。そして、挿通された二本の環状紐4の内、第一環状紐4aは左端の紐通し開口30から突出するように配置され、第二環状紐4bは右端の紐通し開口30から突出するように配置される。そして、袋本体3は、図示する二箇所の折り目35で谷折り、山折りされることにより、図３（ａ）、（ｂ）に示すように、左右方向で略三分の一の大きさとなる。
【００２８】
本実施例における袋本体3は、左右幅が約３００ｍｍ、上下幅が約４００ｍｍとなるように形成されているため、折り畳むことにより左右幅は約１００ｍｍとなる。
【００２９】
このように袋本体3を左右方向に三重折りに折り畳むことで、紐通路部31の端部が左右夫々に配置されることになる。つまり、袋本体3が折り畳まれた後も、紐通し開口30から突出させた環状紐4は左右に配置されることになる。
【００３０】
尚、包装体2が固着されることになる二本の環状紐4の夫々の端部が左右に配置され、携帯用収納袋1を開封する際に夫々の包装体2を左右に離隔させたとき、折り畳まれた袋本体3が容易に展開されればよいため、この携帯用収納袋1は、図示したように三重折りに限ることなく、谷折り、山折りを繰り返して五重折りなどの奇数折りをする構成とすることもできる。
【００３１】
更に、この袋本体3は、図示される折り目36で繰返し山折りされることにより、九重に折り畳まれて、よりコンパクトな大きさとなる。つまり、この袋本体3は、上下方向に任意の回数折り畳まれることで、包装体2の内部空間に収容可能な大きさとされる。尚、上下方向に折り畳む回数は限定されるものではないが、袋本体3を六重乃至十重に重ね折りさせた状態で包装体2に封入することとすれば、厚みを５ｍｍ程度の薄さに抑えることができるため好適である。
【００３２】
そして、図４（ａ）に示すように、小さく折り畳まれた袋本体3は、一枚のシート状の包装体2に配置され、左端の紐通し開口30から突出した第一環状紐4aの端部が左側包装体2aの端部に熱溶着され、右端の紐通し開口30から突出した第二環状紐4bの端部が右側包装体2bの端部に熱溶着される。
【００３３】
更に、このシート状の包装体2は、袋本体3を覆うように折り目25で折り畳まれて外周が溶着されることで、図４（ｂ）及び図５に示すように、袋本体3を収容する内部空間を有する袋状の包装体2として形成されることになる、つまり袋本体3は、包装体2に封入される。尚、本実施例において、包装体2は、左右幅が約１４０ｍｍ、上下幅が約６０ｍｍとなるように形成されている。つまり、この包装体2は、袋本体3に対して左右幅が半分未満の長さとされ、上下幅が約１／７の長さとされている。又、この携帯用収納袋1は、図示するように袋本体3を複数回折り畳んで包装体2に収納しても、その厚さが５ｍｍ程度に抑えられているため、上着やシャツのポケット、或いはバッグの片隅などに何個も仕舞っておくことのできる携帯性に優れた携帯用収納袋1とされている。
【００３４】
そして、袋本体3を封入した包装体2の中央には、当該包装体2が左右に分離可能とされるように、切込線20としてのミシン目が当該包装体2の全周に亘って予め形成されている。
【００３５】
そして、この携帯用収納袋1を使用する際、包装体2に切込線20が形成されているため、図６（ａ）に示すように、使用者は、袋本体3を封入した包装体2を左右に分離させるように引くことで、図６（ｂ）に示すように、包装体2を左側包装体2aと右側包装体2bとに分割して、図６（ｃ）に示すように、袋本体3を包装体2から瞬時に取り出すことができる。
【００３６】
又、この携帯用収納袋1は、図７に示すように、左側包装体2aが固着されている第一環状紐4aの左端部と、右側包装体2bが固着されている第二環状紐4bの右端部と、が左右両側に引っ張られることにより袋本体3の開口が閉じられ、閉じられた袋本体3の開口が内側から外側に引っ張られることにより袋本体3の開口が開かれる構成とされ、開閉動作を繰返し行うことができるようになっている。
【００３７】
つまり、使用者は、所望の物を袋本体3に入れた後、環状紐4を左右に引くことにより袋本体3の開口を閉じて物を袋本体3に収納することができる。又、使用者は、閉じられた袋本体3の開口を内側から外側に引くことにより袋本体3の開口を開いて収納物を取り出し、再び所望の物を袋本体3に収納することができる。
【００３８】
このように、本考案によれば、包装体2に切込線20を設けているため包装体2の両端部を左右に軽く引っ張るだけで包装体2を二つに分離させて、瞬時に袋本体3を包装体2から取り出すことができる携帯用収納袋1を提供することができる。
【００３９】
又、この携帯用収納袋1は、包装体2の内側端部に環状紐4が固着されて包装体2と袋本体3とが一体として形成されているため、包装体2を個別に処分する必要がない。
【００４０】
そして、袋本体3が、左右方向に三重折り又は五重折りとされ、上下方向に六重乃至十重に重ね折りされて包装体2に封入されることで、一般的に使いやすい大きさである左右幅２００ｍｍ〜３００ｍｍ、上下長さ３００ｍｍ〜４００ｍｍの袋本体3を上着やシャツなどのポケットに入れることのできるコンパクトな大きさに纏めることができ、小さく折り畳まれた袋本体3を開封の際に瞬時に展開させて取り出して使用することができる。
【００４１】
そして、携帯用収納袋1を構成する袋本体3、包装体2及び環状紐4は、ポリエチレンを主材料とする一般的な樹脂材を用いて形成してもよいが、生分解性プラスチックフィルム又は生分解性プラスチック不織布によって形成することが好適である。これにより、廃棄処理する際に当該携帯用収納袋1を自然分解させることができるため、環境に優しい携帯用収納袋1を提供することができる。
【００４２】
更に、携帯用収納袋1の材質には、光分解性且つ生分解性プラスチック製品用の多成分組成物を採用することがより好適である。この多成分組成物は、スターチを含まず、キチン、カゼイン等の生物活性材料と生分解性助剤成分、光分解性且つ自動酸化触媒、並びに非金属無機物等から成る多成分配合組成物である。この多成分組成物が汎用プラスチックに添加された分解性プラスチックフィルム又は分解性プラスチック不織布は、光を受けることで分解が促進されて微生物によって利用され、少量の二酸化炭素や水を放出して、大地によって完全に吸収される環境に優しいプラスチック材料である。したがって、携帯用収納袋1を分解性プラスチックフィルム又は分解性プラスチック不織布により形成すれば、廃棄処理する際に、当該携帯用収納袋1の全てをより早く自然分解させることができ、二酸化炭素の発生も少なくすることができる。
【００４３】
そして、この携帯用収納袋1は、多目的な利用が可能であり、例えば、展示会、野外イベント、アウトドアスポーツ、遠足、スポーツ観戦、動物園や水族館、遊園地、買い物、ペットの散歩、電車や飛行機、バスなどの様々な場面で所望の物品を収納することができる。又、包装体2が袋本体3と一体となっているため、使用の際に包装体2が過って飛散するといったこともない。
【００４４】
又、袋本体3を収容した包装体2は、図４（ｂ）に示したように、正面と背面に略平面を有しているため、この平面上に予め絵柄や図柄、広告記事などを印刷させておくことができる。つまり、携帯用収納袋1を環境に無害な材料で形成すると共に、広告記事などを包装体2上に印刷して広告媒体として当該携帯用収納袋1を一般消費者等に配布すれば、一般消費者等は使い勝手が良く携帯に便利な携帯用収納袋1を得ることができると共に、当該携帯用収納袋1の配布者は、環境に優しく且つ特徴のある携帯用収納袋1と印刷された広告記事とが一体となって一般消費者等に認識されることで印刷される広告記事に関して高い宣伝効果を得ることができる。
【００４５】
又、本考案は、以上の実施例に限定されるものでなく、考案の要旨を逸脱しない範囲で自由に変更、改良が可能である。例えば、袋本体3の折り畳み回数は、上述した回数に限定されることなく、より大きな袋本体3をポケットに入れることができるようなコンパクトなサイズとするために、左右方向に五重、七重に折り畳み、更に上下方向を十重以上に折り畳むこととしてもよい。
【符号の説明】
【００４６】
1  携帯用収納袋                           2  包装体
2a 左側包装体                             2b 右側包装体
3  袋本体                                 4  環状紐
4a 第一環状紐                             4b 第二環状紐
20  切込線                                25  折り目
30  紐通し開口                            31  紐通路部
35  折り目                                36  折り目
【図１】
0003151739.tif 000003
【図２】
0003151739.tif 000004
【図３】
0003151739.tif 000005
【図４】
0003151739.tif 000006
【図５】
0003151739.tif 000007
【図６】
0003151739.tif 000008
【図７】
0003151739.tif 000009